【事件の表示】
　特願２０１８−５２０００７「感光性チップによる信号収集の方法と装置、及び細胞追跡の方法と装置」拒絶査定不服審判事件〔平成２９年　１月１２日国際公開、ＷＯ２０１７／００５０７５、平成３０年　８月３０日国内公表、特表２０１８−５２４６１３〕について、次のとおり審決する。
【結　論】
　本件審判の請求は、成り立たない。
【理　由】
第１　手続の経緯
　本件出願（以下「本願」と記す。）は、２０１６年（平成２８年）６月６日（パリ条約による優先権主張　２０１５年７月８日　 中国）を国際出願日とする出願であって、平成３１年２月８日付けで拒絶理由が通知され、令和元年６月１７日付けで意見書及び手続補正書が提出され、同年１１月２９日付けで拒絶査定されたところ、令和２年４月３日に拒絶査定不服審判の請求がなされたものである。
第２　原査定の概要
　原査定（令和元年１１月２９日付け拒絶査定）の概要は次のとおりである。
１．この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　請求項　　　１，５−６
　引用文献等　１
２．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　請求項　　　１−１０
　引用文献等　１−５
４．この出願は、特許請求の範囲の記載が下記の点で、特許法第３６条第６項第１号に規定する要件を満たしていない。
　　　　　　　　　　　　　　　　　記
　請求項７−１０について、「付着させ」ることが、どのような工程であるのか、及び「付着モジュール」がどのようなモジュールであるのかが、発明の詳細な説明に記載されていない。
５．この出願は、発明の詳細な説明の記載が下記の点で、特許法第３６条第４項第１号に規定する要件を満たしていない。
　　　　　　　　　　　　　　　　　記
　請求項７−１０について、「付着させ」ることが、どのような工程であるのか、及び「付着モジュール」がどのようなモジュールであるのかが、発明の詳細な説明に記載されていないので、この出願の発明の詳細な説明は、当業者が請求項７−１０に係る発明を実施することができる程度に明確かつ十分に記載されたものでない。
＜引用文献等一覧＞
１.特開２００８−２４１４４７号公報
２.特開２００７−２８５７４９号公報（周知技術を示す文献）
３.特開２００８−３０９６１２号公報（周知技術を示す文献）
４.特開２０１０−２７１０７８号公報（周知技術を示す文献）
５.特開２００８−０９６４０７号公報
第３　本願発明
　本願請求項１ないし１０に係る発明（以下それぞれ「本願発明１」ないし「本願発明１０」という。）は、令和元年６月１７日提出の手続補正書により手続補正された特許請求の範囲の請求項１ないし１０に記載された事項により特定される発明であり、本願発明１は以下のとおりである。
「【請求項１】
　イムノブロッティングの実験で得たサンプル膜であって、化学発光溶液処理を経て化学発光信号を発する対象光信号保有膜の発光面を感光性チップに密接させ、
　対象光信号保有膜が貼り付けられた感光性チップを暗室に放置し、前記暗室が外光からの影響を受けず、
　前記暗室内において感光性チップで画像全体が同時に収集されるように化学発光信号を収集し、
　収集された化学発光信号に対し信号処理を行い出力することを特徴とする感光性チップによる信号収集の方法。」
第４　引用文献、引用発明等
１．引用文献１について
　原査定の拒絶の理由に引用文献１として引用された、本願の優先日前である２００８年（平成２０年）１０月９日に頒布された刊行物である特開２００８−２４１４４７号公報（以下「引用文献１」という。）には、図面とともに以下の技術事項が記載されている。（下線は当審が付与した。以下同じ。）
（１）「【０００１】
　本発明は、
生体由来物質を含む被写体を撮影して前記生体由来物質の反応状況に応じた画像を取得する
画像読取方法
【背景技術】
【０００２】
　筐体内に被写体を配置し、筐体内に備えられた光源で被写体を照射して被写体を撮影する装置が、従来より様々な分野で利用されている。生化学の分野においては、化学発光物質や蛍光物質を標識物質として使用し、これらの発光や蛍光を読み取ることによって、遺伝子配列、遺伝子の発現レベル、蛋白質の分離、同定、あるいは分子量、特性の評価などを行う撮影装置が、例えば、特許文献１などによって知られている。
【０００３】
　具体的には、例えば、電気泳動させるべき複数のＤＮＡ断片を含む溶液の中に蛍光色素を加えた後、複数のＤＮＡ断片をゲル支持体上で電気泳動させる。あるいは、蛍光色素を含有させたゲル支持体上で複数のＤＮＡ断片を電気泳動させる。この後、蛍光色素を含んだ溶液にゲル支持体を浸すなどして、電気泳動されたＤＮＡ断片を標識する。そして、ゲル支持体に励起光を照射して蛍光色素を励起させ、生じた蛍光を検出することによって画像を生成する。このように生成した画像により、ゲル支持体上のＤＮＡ分布を検出することができる。
【０００４】
　あるいは、複数のＤＮＡ断片を、ゲル支持体上で電気泳動させた後に、ＤＮＡを変性し、次いで、
サザン・ブロッティング法
　
（２）「【００２５】
　図１に示すように、
画像読取装置２は、被写体を支持する支持台１０と、この支持台１０に支持された被写体を覆うカバー１２とで構成されている。
支持台１０には、有機ＣＭＯＳイメージセンサ１４が設けられている。有機ＣＭＯＳイメージセンサ１４は、支持台１０の上面（支持面）１０ａに受光面１４ａを露呈させている。
【００２６】
　この画像読取装置２は、例えば、
化学発光基質と接触して発光している被写体
を受光面１４ａ上に直接乗せる。そして、有機ＣＭＯＳイメージセンサ１４を駆動して受光面１４ａ全体を読み取ることにより、被写体の化学発光
に応じた画像データを取得する。
被写体とは、
生体由来物質が転写されたメンブレンフイルム
【００２７】
　カバー１２は、開口側が上面１０ａと向き合うように、ヒンジ部１５を介して支持台１０に回動自在に取り付けられている。これにより、
カバー１２は、受光面１４ａを露呈させた開き位置（図１参照）と、受光面１４ａを覆う閉じ位置（図２参照）との間で移動する。閉じ位置に移動したカバー１２は、受光面１４ａを覆って遮光することにより、画像読み取りの際に、被写体が発する化学発光
以外の光が有機ＣＭＯＳイメージセンサ１４に入射することを防ぐ。
【００２８】
　カバー１２の内底面１２ａには、紫外線を照射する複数本の紫外線蛍光管（光源）１６が設けられている。各紫外線蛍光管１６は、カバー１２が閉じ位置に移動した際に、受光面１４ａと対面し、受光面１４ａに向けて４００ｎｍ以下の波長の紫外線を照射する。また、各紫外線蛍光管１６は、受光面１４ａの全域に亘って均一な光量の紫外線が照射されるように、等間隔に並べて配置されている。これらの各紫外線蛍光管１６は、蛍光標識された被写体を励起させるための励起光源である。画像読取装置２は、蛍光標識された被写体が受光面１４ａ上に乗せられた際に、各紫外線蛍光管１６を点灯させて被写体に紫外線を照射し、蛍光標識された被写体を励起させる。なお、励起光の波長は、上記に限ることなく、被写体の励起が可能な任意の波長でよい。
【００２９】
　支持台１０の上面１０ａには、受光面１４ａを囲むように枠状に形成されたシール部材１７が設けられている。一方、閉じ位置に移動した際に支持台１０の上面１０ａと接触するカバー１２の開口端面１２ｂには、シール部材１７に対応して枠状に形成された溝１８が形成されている。シール部材１７は、シリンドリカル状に突出して形成されている。そして、シール部材１７は、カバー１２が閉じ位置に移動した際に、溝１８内に入り込み、溝１８の底面と接触して押し潰されるように弾性変形する。シール部材１７は、このように弾性変形することにより、カバー１２による遮光性を高める。」
（３）「【００３４】
　図３は、画像読取装置２の電気的構成を概略的に示すブロック図である。
支持台１０には、有機ＣＭＯＳイメージセンサ１４、
の他に、支持台１０の各部を統括的に制御するコントローラ３０と、有機ＣＭＯＳイメージセンサ１４が取得したアナログの画像データをデジタルの画像データに変換するＡ／Ｄコンバータ３２と、外部機器３６とのデータの送受信を行うデータ転送部３４とが設けられている
（４）「【００３９】
　図４は、有機ＣＭＯＳイメージセンサ１４の１画素を拡大して示す部分断面図である
。有機ＣＭＯＳイメージセンサ１４は、ＣＭＯＳ構造が形成されたシリコン基板４０と、このシリコン基板４０の上に積層された光電変換部４２と、この光電変換部４２の上に積層されたフィルタ４４と、このフィルタ４４の上に積層されたセルフォックレンズアレイ（登録商標）４６とを備えている。
（５）「【００５４】
　次に、図５に示すフローチャートを参照しながら、蛍光標識された被写体を撮影する場合を例に、上記構成による画像読取装置２の作用について説明する。画像読取装置２で被写体の画像を取得する際には、例えば、電源スイッチ（図示は省略）をＯＮするなどして、画像読取装置２の電源を入れる。画像読取装置２のコントローラ３０は、電源が入れられたことに応じて各ペルチエ素子２２と各温度センサ２４とによる有機ＣＭＯＳイメージセンサ１４の温度調節を開始する。
【００５５】
　このように有機ＣＭＯＳイメージセンサ１４の温度を調節することで、温度ムラによるシェーディングの発生を抑えることができる。また、これに接触する被写体の温度をも調節し、被写体に含まれる生体由来物質を活性化させることなどもできる。さらに、電源のＯＮなどと同時に予め有機ＣＭＯＳイメージセンサ１４の温度を調節しておくことで、例えば、被写体となる動物を眠らせた状態で受光面１４ａの上に乗せる際などに、睡眠により低下しがちな動物の体温を保持することができる。
【００５６】
　
画像読取装置２の電源を入れたら、カバー１２を開き位置（図１参照）に移動させて、有機ＣＭＯＳイメージセンサ１４の受光面１４ａを露呈させる。受光面１４ａを露呈させたら、予め容易された被写体を受光面１４ａの上に乗せ、被写体を受光面１４ａに直接接触させる。被写体を受光面１４ａ上に乗せたら、ヒンジ部１５を軸にカバー１２を回動させ、開き位置にあるカバー１２を閉じ位置（図２参照）に移動させる。閉じ位置に移動したカバー１２は、受光面１４ａ、及びその上に乗せられた被写体を覆って遮光する。
【００５７】
　
カバー１２を閉じ位置に移動させたら、例えば、データ転送部３４を介して接続される外部機器３６などから画像読取装置２に画像読み取りの開始指示を送信する。画像読取装置２に送信された開始指示は、データ転送部３４を介してコントローラ３０に入力される。
。
【００５８】
　開始指示を受け取ったコントローラ３０は、各紫外線蛍光管１６を点灯させ、被写体に紫外線を照射する。蛍光標識された被写体は、励起光である紫外線を受けることによって励起し、生体由来物質などの反応状況に応じた光量の蛍光を放出する。各紫外線蛍光管１６を点灯させたコントローラ３０は、例えば、点灯から所定の時間が経過したか否かを判定し、所定時間の経過とともに各紫外線蛍光管１６を消灯させる。
【００５９】
　各紫外線蛍光管１６を消灯させたコントローラ３０は、
有機ＣＭＯＳイメージセンサ１４に駆動信号を送信する。駆動信号を受信した有機ＣＭＯＳイメージセンサ１４は、その駆動信号に応じて撮影を行い、アナログの画像データを取得する。
【００６０】
　
取得されたアナログの画像データは、Ａ／Ｄコンバータ３２に送られ、デジタルの画像データに変換される。変換された画像データは、データ転送部３４に送られ、データ転送部３４を介して外部機器３６に転送される。
【００６１】
　このように、本実施形態の画像読取装置２によれば、
被写体を有機ＣＭＯＳイメージセンサ１４の受光面１４ａに直接接触させて撮影を行うようにしたので、光学系による光の減衰などがない高感度な撮影を行うことができる
（６）「【００７１】
　また、画像読取装置８０は、白色蛍光管８２を点灯させずに撮影を行うことで、化学発光する被写体の画像も取得することができる。さらには、白色蛍光管８２を点灯させた状態と消灯させた状態とで撮影を行うことにより、有色の部分と化学発光する部分とが混在した被写体の画像も取得することができる。なお、この場合には、１つの被写体に対して有色の部分の画像と化学発光する部分の画像とが取得されるので、これらの各画像を合成
して１つの画像にまとめるようにしてもよい。」
（７）「【００８４】
　なお、上記各実施形態では、
保護膜としてセルフォックレンズアレイ４６
（８）「【図１】
」
（９）「【図５】
」
　上記引用文献１の記載事項及び図面を総合勘案すると、引用文献１には、次の発明（以下「引用発明１」という。）が記載されていると認められる。
「生体由来物質を含む被写体を撮影して前記生体由来物質の反応状況に応じた画像を取得する画像読取方法において、
　画像読取装置２は、被写体を支持する支持台１０と、この支持台１０に支持された被写体を覆うカバー１２とで構成されており、カバー１２は、受光面１４ａを露呈させた開き位置と、受光面１４ａを覆う閉じ位置との間で移動し、閉じ位置に移動したカバー１２は、受光面１４ａを覆って遮光することにより、画像読み取りの際に、被写体が発する化学発光以外の光が有機ＣＭＯＳイメージセンサ１４に入射することを防ぎ、
　支持台１０には、支持台１０の上面（支持面）１０ａに受光面１４ａを露呈させている有機ＣＭＯＳイメージセンサ１４と、支持台１０の各部を統括的に制御するコントローラ３０と、有機ＣＭＯＳイメージセンサ１４が取得したアナログの画像データをデジタルの画像データに変換するＡ／Ｄコンバータ３２と、外部機器３６とのデータの送受信を行うデータ転送部３４とが設けられており、
　有機ＣＭＯＳイメージセンサ１４は、ＣＭＯＳ構造が形成されたシリコン基板４０と、このシリコン基板４０の上に積層された光電変換部４２と、この光電変換部４２の上に積層されたフィルタ４４と、このフィルタ４４の上に保護膜として積層されたセルフォックレンズアレイ４６とを備えており、
　化学発光基質と接触して発光している被写体は、生体由来物質が転写されたメンブレンフイルムであり、
　撮影は、
　画像読取装置２の電源を入れたら、カバー１２を開き位置に移動させて、有機ＣＭＯＳイメージセンサ１４の受光面１４ａを露呈させ、予め用意された被写体を受光面１４ａの上に乗せ、被写体を受光面１４ａに直接接触させ、ヒンジ部１５を軸にカバー１２を回動させ、開き位置にあるカバー１２を閉じ位置に移動させ、閉じ位置に移動したカバー１２は、受光面１４ａ、及びその上に乗せられた被写体を覆って遮光し、データ転送部３４を介して接続される外部機器３６などから画像読取装置２に画像読み取りの開始指示を送信し、画像読取装置２に送信された開始指示は、データ転送部３４を介してコントローラ３０に入力され、有機ＣＭＯＳイメージセンサ１４に駆動信号を送信し、駆動信号を受信した有機ＣＭＯＳイメージセンサ１４は、その駆動信号に応じて受光面１４ａ全体を読み取ることにより、被写体の化学発光に応じたアナログの画像データを取得し、取得されたアナログの画像データは、Ａ／Ｄコンバータ３２に送られ、デジタルの画像データに変換され、変換された画像データは、データ転送部３４に送られ、データ転送部３４を介して外部機器３６に転送される、
　という手順で行われ、
　被写体を有機ＣＭＯＳイメージセンサ１４の受光面１４ａに直接接触させて撮影を行うようにしたので、光学系による光の減衰などがない高感度な撮影を行うことができる、
　方法。」
２．特開２００７−２８５７４９号公報について
　原査定の拒絶の理由に周知技術を示す文献として引用文献２として引用された、本願の優先日前である２００７年（平成１９年）１１月１日に頒布された刊行物である特開２００７−２８５７４９号公報（以下「引用文献２」という。）には、図面とともに以下の技術事項が記載されている。（下線は当審が付与した。以下同じ。）
「【００４５】
４）タンパク質発現の確認
　ＡｃＡＩ ＮＰ Ｈｉｓを単層培養したＳｆ９細胞（1.5×１０6Cells）に感染の多重性（Multiplicity of infection：以下ＭＯＩと略称する。）を約５ Plaque Forming Unites（以下ＰＦＵと略称する。）／cellで接種し、ＥＳＦ９２１培地を用いて２８℃で培養し、接種１、２、３、４、５日後に細胞および上清を回収した。また、ＡｃＮＰＶあるいはネガティブコントロールとして培養液（以下Mockと略称する。）を同様に接種し、５日後に細胞と上清を回収した。細胞については、昆虫細胞用リン酸緩衝生理食塩水（0.14M NaCl,26.82mM KCl,8mM Na2HPO4,1.47mM KH2PO4,pH7.4:以下PBS-Acと略記する。）で洗浄後、Laemmli（Laemmli, U. K. Nature.  277:680-685.1970.）の４×サンプルバッファー（62.5ｍＭ Ｔｒｉｓ−ＨＣｌ ｐＨ6.8， ２％ＳＤＳ，１０％Glycerol， 0.02％ Bromophenol blue， ５％ ２-メルカプトエタノール；以下、２Ｍｅ＋Ｂｕｆｆｅｒと略記する。）に再浮遊させた。また、培養上清については２Ｍｅ＋Ｂｕｆｆｅｒと３：１の割合で混合した。各試料を１００℃で５分間煮沸し、ＳＤＳを含む12.5％ポリアクリルアミドゲル電気泳動（ＳＤＳ-ＰＡＧＥ）により展開した。泳動後、クマシーブリリアントブルー染色液（４５％Methanol,１０％Acetic acid,0.025％Coomassie brilliant blue）で染色（以下ＣＢＢ染色と略記する。）、もしくはウエスタンブロッディングにより解析した。
【００４６】
５）
ウェスタンブロッティング
　
ＳＤＳ-ＰＡＧＥ終了後、ゲルを転写緩衝液（0.02M Tris, 0.15M Glycine, 0.01%SDS,5% Methanol）で洗浄し、ウェスタンブロッティング装置ホライズブロット（アトー株式会社、東京都）を用いて、ニトロセルロース膜Hybond C Extra（Amersham, Amersham, UK）に１００ｍＡで1.5時間転写した
３．特開２００８−３０９６１２号公報について
　原査定の拒絶の理由に周知技術を示す文献として引用文献３として引用された、本願の優先日前である２００８年（平成２０年）１２月２５日に頒布された刊行物である特開２００８−３０９６１２号公報（以下「引用文献３」という。）には、図面とともに以下の技術事項が記載されている。（下線は当審が付与した。以下同じ。）
「【００３３】
　（３）二次元電気泳動及び
ウエスタンブロット
　二次元電気泳動は複雑な混合物中の蛋白質を分離するために使用する、当業者にはよく知られた方法である。第一段階の電気泳動は一般に電荷に基づいて蛋白質を分離するものであり、第二段階の電気泳動は分子量に基づいて蛋白質を分離する。
【００３４】
　上記（２）において精製した、ＲＭＧ−１及びＥＳ−２の細胞抽出液各５０μgずつ、計１００μgに、Destreak Rehydration 緩衝液（ＧＥ）、ＩＰＧ緩衝液 (pH3-11 NL) （ＧＥ）及びＤＴＴを加えた後、両性担体のチューブゲル（pH3-11 NL）（ＧＥ）上に添加した。一晩、当該ゲルを膨潤させた後、３５００Ｖで５時間、第一次元の等電点電気泳動を行った。第一次元のチューブゲルをＳＤＳ平衡化緩衝液（５０mM Tris-Hcl(pH8.8)、６M Urea、３０％ Glycerol、２％ＳＤＳ、ブロモフェノールブルー)で平衡化、かつ、アルキル化した後、二次元ゲルを含有するカセットに添加した。ＳＤＳ−ＰＡＧＥを使用した二次元電気泳動は、５−２０％アクリルアミドゲルを使用し、ＳＤＳ平衡化緩衝液に含まれるトラッキング色素がゲルの反対側に到達するまで行った。
【００３５】
　二次元電気泳動後、
分離した蛋白質をＰＶＤＦ膜（ミリポア）に転写し、この膜をブロッキングバッファー（５％スキムミルク、ＰＢＳ−Ｔ（０．１％  Tween20））に浸して２時間インキュベートを行った。次いで、ＰＢＳ−Ｔで膜の洗浄を行い、この後、ブロッキングバッファーで１：５００に希釈した患者血清、又は、対照血清に浸し、室温で３時間インキュベートを行った。この後、ＰＢＳ−Ｔで洗浄し、膜をホースラディッシュペルオキシダーゼ標識ヤギ抗−ヒト抗体（コスモバイオより入手可能）と共に一時間インキュベートした
４．特開２０１０−２７１０７８号公報について
　原査定の拒絶の理由に周知技術を示す文献として引用文献４として引用された、本願の優先日前である２０１０年（平成２２年）１２月２日に頒布された刊行物である特開２０１０−２７１０７８号公報（以下「引用文献４」という。）には、図面とともに以下の技術事項が記載されている。（下線は当審が付与した。以下同じ。）
「【００４８】
１．
イムノ・ブロット法
　最も単純な方法である。
数段階に希釈した被験血清を用意し、その一定量（１マイクロリットル前後）をニトロセルローズ・メンブレンなどの適当なメンブレンに滴下し、風乾する。BSAなどのタンパク質を含むブロッキング溶液で処理した後、洗浄し、１次抗体を反応させ、洗浄後１次抗体を検出するための標識された２次抗体を反応させる。
【００４９】
２．
ウエスタン・ブロット
　等電点ないしSDS-PAGEを含む一次元ないし2次元ゲル電気泳動を行った後で、
分離されたタンパク質を一旦、ＰＶＤＦメンブレンなどの適当なメンブレンに転写し、１次抗体と標識された２次抗体を用いて上述のイムノ・ブロット法と同様に操作して、
第５　対比・判断
１．対比
　本願発明１を、引用発明１と比較する。
（１）引用発明１の「生体由来物質が転写されたメンブレンフイルム」は、本願発明１における「サンプル膜」に相当する。
（２）引用発明１の「化学発光基質と接触して発光している被写体」は、本願発明１における「化学発光溶液処理を経て化学発光信号を発する対象光信号保有膜」に相当する。
（３）引用発明１の「有機ＣＭＯＳイメージセンサ１４」は、本願発明１における「感光性チップ」に相当する。
（４）引用発明１の「有機ＣＭＯＳイメージセンサ１４の受光面１４ａを露呈させ、予め用意された被写体を受光面１４ａの上に乗せ」ることは、本願発明１における「化学発光溶液処理を経て化学発光信号を発する対象光信号保有膜の発光面を感光性チップに密接させ」ることに相当する。
（５）引用発明１の「画像読取装置２は、」「被写体を支持する支持台１０と、この支持台１０に支持された被写体を覆うカバー１２とで構成されており、カバー１２は、受光面１４ａを露呈させた開き位置と、受光面１４ａを覆う閉じ位置との間で移動し、閉じ位置に移動したカバー１２は、受光面１４ａを覆って遮光することにより、画像読み取りの際に、被写体が発する化学発光以外の光が有機ＣＭＯＳイメージセンサ１４に入射することを防」ぐことから、引用発明１の「画像読取装置２の電源を入れたら、カバー１２を開き位置に移動させて、有機ＣＭＯＳイメージセンサ１４の受光面１４ａを露呈させ、予め用意された被写体を受光面１４ａの上に乗せ、被写体を受光面１４ａに直接接触させ、ヒンジ部１５を軸にカバー１２を回動させ、開き位置にあるカバー１２を閉じ位置に移動させ、閉じ位置に移動したカバー１２は、受光面１４ａ、及びその上に乗せられた被写体を覆って遮光」することは、本願発明１における「対象光信号保有膜が貼り付けられた感光性チップを暗室に放置し、前記暗室が外光からの影響を受けず」の工程に相当する。
（６）引用発明１の「有機ＣＭＯＳイメージセンサ１４」で得られる「被写体の化学発光に応じたアナログの画像データ」は、本願発明１における「化学発光信号」に相当する。
（７）引用発明１の「画像読取装置２の電源を入れたら、カバー１２を開き位置に移動させて、有機ＣＭＯＳイメージセンサ１４の受光面１４ａを露呈させ、予め用意された被写体を受光面１４ａの上に乗せ、被写体を受光面１４ａに直接接触させ、ヒンジ部１５を軸にカバー１２を回動させ、開き位置にあるカバー１２を閉じ位置に移動させ、閉じ位置に移動したカバー１２は、受光面１４ａ、及びその上に乗せられた被写体を覆って遮光」した後の「駆動信号を受信した有機ＣＭＯＳイメージセンサ１４は、その駆動信号に応じて受光面１４ａ全体を読み取ることにより、被写体の化学発光に応じたアナログの画像データを取得」する工程は、本願発明１における「前記暗室内において感光性チップで画像全体が同時に収集されるように化学発光信号を収集」する工程に相当する。
（８）引用発明１の「取得されたアナログの画像データは、Ａ／Ｄコンバータ３２に送られ、デジタルの画像データに変換され、変換された画像データは、データ転送部３４に送られ、データ転送部３４を介して外部機器３６に転送される」ことは、本願発明１における「収集された化学発光信号に対し信号処理を行い出力すること」に相当する。
（９）引用発明１の「画像読取装置２」の「有機ＣＭＯＳイメージセンサ１４」を用いて「生体由来物質を含む被写体を撮影して前記生体由来物質の反応状況に応じた画像を取得する画像読取方法」は、本願発明１における「感光性チップによる信号収集の方法」に相当する。
　すると、本願発明１と、引用発明１とは、次の点で一致する。
＜一致点＞
「サンプル膜であって、化学発光溶液処理を経て化学発光信号を発する対象光信号保有膜の発光面を感光性チップに密接させ、
　対象光信号保有膜が貼り付けられた感光性チップを暗室に放置し、前記暗室が外光からの影響を受けず、
　前記暗室内において感光性チップで画像全体が同時に収集されるように化学発光信号を収集し、
　収集された化学発光信号に対し信号処理を行い出力する
感光性チップによる信号収集の方法。」
　一方で、両者は、次の点で相違する。
＜相違点＞
　サンプル膜について、本願発明１では「イムノブロッティングの実験で得た」サンプル膜であるのに対し、引用発明１では「生体由来物質が転写されたメンブレンフイルム」であるが、生体由来物質がどのように転写されたのか不明であるのでイムノブロッティングの実験で得たかどうか不明な点。
２．判断
　前記「１．」で記載した相違点について判断する。
（１）イムノブロッディングの実験の方法（本願の発明の詳細な説明の段落【００３４】【００３５】を参照のこと。）を用いて化学発光信号を有するサンプル膜を作成する手法は、引用文献１（上記「第４　１．（１）」参照。）、引用文献２（上記「第４　２．」参照。）、引用文献３（上記「第４　３．」参照。）及び引用文献４（上記「第４　４．」参照。）にサザン・ブロッティング法やイムノ・ブロット法やウェスタン・ブロット法などの手法が開示されているように、本願の優先日前において周知の作成手法である。
（２）また、引用発明１の生体由来物質を含む被写体を撮影して前記生体由来物質の反応状況に応じた画像を取得する画像読取方法において、有機ＣＭＯＳイメージセンサ１４の受光面１４ａに乗せる被写体である、化学発光基質と接触して発光している生体由来物質が転写されたメンブレンフイルムは、化学発光信号を発する膜であればその測定手法及び測定性能に影響を与えないのであるから、その生体由来物質が転写されたメンブレンフイルムをどのような手法で作成するかは、当業者が適宜選択しうる設計的事項にすぎない。
（３）よって、引用発明１における生体由来物質が転写されたメンブレンフイルムの作成手法として、上記周知のサザン・ブロッティング法やイムノ・ブロット法やウェスタン・ブロット法などの手法を採用して、上記相違点に係る構成とすることは、当業者ならば容易になしえたことである。
（４）そして、本願発明１の効果は、引用発明１及び上記周知の手法から、当業者が予測しうる程度のものである。
３．小括
　したがって、本願発明１は、引用発明１及び周知の手法に基づいて当業者が容易に発明できたものである。
第６　請求人から提示された補正案について
　本件は、請求人より、上申書は提出しないが、原査定維持の場合には、補正する用意があることが当審に伝えられたものである（令和２年８月２１日初回対応の「応対記録」参照。）。本来、正式な手続でないことから、検討の必要のないものであるが、請求人は、ＦＡＸにより補正案を提示したので、一応検討する。
　その補正案は、感光性チップの上面の透明保護層に関する構成を付加して請求項１に係る発明を減縮するものであるが、引用発明１においても、有機ＣＭＯＳイメージセンサ１４は保護膜として積層されたセルフォックレンズアレイ４６を備えていることから、上記補正案における請求項１に係る発明も引用発明１及び周知の手法に基づいて当業者が容易に発明できたものであり、特許法第２９条第２項の規定により特許を受けることができない。
　ゆえに、上記補正案における請求項１に係る発明は、特許を受けることができる発明とは認められない。
第７　むすび
　以上のとおり、本願の請求項１に係る発明は、引用文献１に記載された発明に基いて当業者が容易に発明をすることができたものであるから、特許法第２９条第２項の規定により特許を受けることができない。
　したがって、原査定におけるその余の拒絶の理由、及びその余の請求項に係る発明に対する拒絶の理由について論及するまでもなく、本願は拒絶すべきものである。
　よって、結論のとおり審決する。